(57)【要約】      （修正有）【課題】家庭の台所で魚介類や野菜を調理する際に使用されるまな板を着脱可能に支持すると共に、調理中に調理物のこぼれ落ちを防ぎ、インテリアとしても利用することができるまな板付きトレイを得る。【解決手段】まな板付きトレイは、プラスチック製で、まな板と略同形状の長方形の底面１を有し、底面１の四周囲から外側へ次第に高くなる傾斜面４を有する縁２（ふち）を設けた略角皿状である。そして、底面１四隅に、角部が深く中央部に向うにしたがって浅くなる平面視で略三角形状の窪み３を形成している。また、縁２の傾斜表面４には、適宜のプリント柄の絵が意匠的装飾として印刷される。【選択図】図１
0003111611.tif 000002
【実用新案登録請求の範囲】
【請求項１】
プラスチック製で、まな板と略同形状の長方形の底面を有し、該底面の四周囲から外側へ次第に高くなる傾斜面を有する縁を設けた略角皿状で、前記底面四隅に角部が深く中央部に向うにしたがって浅くなる略三角形状の窪みを形成すると共に、前記縁の傾斜表面には適宜のプリント柄の絵が意匠的装飾として印刷されていることを特徴とするまな板付きトレイ。
【請求項２】
プラスチック製で、まな板と略同形状の長方形の底面を有し、該底面の四周囲から外側へ次第に高くなる傾斜面を有する縁を設けた略角皿状で、まな板部分がポリエチレン等の軽量の材質からなり、前記長方形の底面に積層して固定されると共に、前記縁の傾斜表面には適宜のプリント柄の絵が意匠的装飾として印刷されていることを特徴とするまな板付きトレイ。
【考案の詳細な説明】
【技術分野】
【０００１】
本考案は、家庭の台所で魚介類や野菜を調理する際に使用されるまな板を備えたトレイに関する。
【背景技術】
【０００２】
従来、家庭の台所で魚介類や野菜を調理する際に使用されるまな板は、木製や合成樹脂製の平板状であり、表裏両面が使用可能となっている。
そこで、使い勝手に優れると共に衛生を確保する目的でホルダー付きまな板が開発されている（特許文献１、２を参照）。
前記公知のホルダー付きまな板は、その両面を調理面として使用可能な平板状のまな板と、該まな板を着脱可能に支持する略皿状のホルダーからなるものである。
しかし、前記ホルダーは、まな板を支持するだけが目的であり、その他の用途には全く使用できないものであった。
【特許文献１】特許第３３６１０１５号公報
【特許文献２】登録実用新案第３３６１０１５号公報
【考案の開示】
【考案が解決しようとする課題】
【０００３】
本考案は、家庭の台所で魚介類や野菜を調理する際に使用されるまな板を着脱可能に支持すると共に、調理中に調理物のこぼれ落ちを防ぎ、インテリアとしても利用することができるまな板付きトレイを得ることを目的とする。
【課題を解決するための手段】
【０００４】
本考案のまな板付きトレイは、プラスチック製でまな板と略同形状の長方形の底面を有し、該底面の四周囲から外側へ次第に高くなる傾斜面を有する縁を設けた略角皿状で、前記底面四隅に角部が深く中央部に向うにしたがって浅くなる略三角形状の窪みを形成していると共に、前記縁の傾斜表面には適宜のプリント柄の絵が意匠的装飾として印刷されているものである。
本考案のまな板付きトレイは、プラスチック製でまな板と略同形状の長方形の底面を有し、該底面の四周囲から外側へ次第に高くなる傾斜面を有する縁を設けた略角皿状で、まな板部分がポリエチレン等の軽量の材質からなり、前記長方形の底面に積層して固定されていると共に、前記縁の傾斜表面には適宜のプリント柄の絵が意匠的装飾として印刷されているものである。
【考案の効果】
【０００５】
本考案のまな板付きトレイは、周辺部が調理物のこぼれ落ちを防ぐように外側が次第に高くなる傾斜面の縁（ふち）となっており、該傾斜表面にはプリント柄の絵が印刷されているので、台所のインテリアとしても利用することができる。
また、本考案のまな板付きトレイは、略角皿状の底部四隅に窪みを形成しているので、まな板を支持している状態でまな板の角部を上から押すことにより、まな板が浮き上がり簡単にまな板を取り外すことができる。
【考案を実施するための最良の形態】
【０００６】
以下に、本考案のまな板付きトレイの一実施例を図面に基づいて説明する。
図１は、まな板付きトレイの平面図であり、図２は、まな板付きトレイの長手方向の底縁に沿った縦断面図である。
本考案のまな板付きトレイは、プラスチック製で、図１に示すように、まな板と略同形状の長方形の底面１を有し、該底面１の四周囲から外側へ次第に高くなる傾斜面４を有する縁２（ふち）を設けた略角皿状である。
そして、前記底面１四隅に、図２に示すように、角部が深く中央部に向うにしたがって浅くなる図１の平面視で略三角形状の窪み３を形成している。
また、前記縁２の傾斜表面４には、適宜のプリント柄の絵が意匠的装飾として印刷される。
【０００７】
次に、本考案のまな板付きトレイの使用の仕方について図面に基づいて説明する。
図２に示すように、底面１の中央部が平らな面となっており、左右の角隅部には窪み３が形成され、該窪み３から緩い傾斜で外側へ立ち上がる縁２が形成されている。
本考案のまな板付きトレイは、その底面１にポリエチレン等の軽量の材質からなるまな板５を載せると、前記底面１はまな板５と同形状となっているのですっぽりと嵌まり込むような形でまな板５を支持する。
したがって、野菜等の切断時にまな板５は縁２によって動くことがなく、安心して調理を行うことができるし、調理中は四周囲が縁２によって高くしてあるため、こぼれ落ちることがない。
次に、魚介類を調理する場合には、まな板５の四隅の１箇所を上から押すと、押されたまな板５の隅角が窪み３に嵌まり込み、まな板５の隅角が沈み込む。
すると、反対側のまな板５の隅角が浮き上がり、本考案のまな板付きトレイの底面１との間に隙間が生じるので、その隙間に指を入れて簡単にまな板５を裏返すことができる。
そして、裏返したまな板５を先程と同様に底面１にすっぽりと嵌まり込むような形で、再び本考案のまな板付きトレイの底面１に支持させることにより、再び安心して調理を行うことができる。
【０００８】
なお、まな板で調理をしない時には、本考案のまな板付きトレイを通常の使用の仕方で品物を載せるトレイとして使用したり、適宜のプリント柄の絵が傾斜表面４に意匠的装飾として印刷さているので、台所のインテリアとして使用することもできる。
【０００９】
次に、本考案のまな板付きトレイの他の実施例を図面に基づいて説明する。
図３は、まな板付きトレイの平面図であり、図４は、まな板付きトレイの長手方向の底縁２に沿った縦断面図である。
本考案のまな板付きトレイは、プラスチック製で、図３に示すように、まな板と略同形状の長方形の底面１を有し、該底面１の四周囲から外側へ次第に高くなる傾斜表面４を有する縁２（ふち）を設けた略角皿状である。
そして、図２に示すように、まな板部分６がポリエチレン等の軽量の材質からなり、前記長方形の底面１に積層して固定されている。
前述と同様に、前記縁２の傾斜表面４には、適宜のプリント柄の絵が意匠的装飾として印刷される。
【００１０】
次に、本考案のまな板付きトレイの使用の仕方について図面に基づいて説明する。
図４に示すように、底面１の中央部がまな板部分６となっており、前記底面１の四周囲から緩い傾斜で外側へ立ち上がる縁２が形成されている。
したがって、野菜等の切断時に、調理されたものは四周囲が縁２によって高くしてあるため、こぼれ落ちることがない。
また、調理をしない時には、本考案のまな板付きトレイを通常の使用の仕方で品物を載せるトレイとして使用したり、適宜のプリント柄の絵が傾斜表面４に意匠的装飾として印刷さているので、台所のインテリアとして使用することもできる。
【図面の簡単な説明】
【００１１】
【図１】本考案のまな板付きトレイの平面図である。
【図２】本考案のまな板付きトレイの縦断面図である。
【図３】本考案のまな板付きトレイの他の実施例の平面図である。
【図４】本考案のまな板付きトレイの他の実施例の縦断面図である。
【符号の説明】
【００１２】
１  底面
２  縁（ふち）
３  窪み
４  傾斜表面
５  まな板
６  まな板部分
【図１】
0003111611.tif 000003
【図２】
0003111611.tif 000004
【図３】
0003111611.tif 000005
【図４】
0003111611.tif 000006